(57)【要約】【課題】多部品の歯科インプラントシステムのために改良された結合を提供する。【解決手段】橋脚歯２に、歯科インプラント１に橋脚歯２を係合するためのガイド及びロック手段７，４，２２を設ける。ガイド及びロック手段７，４，２２は、円錐状に傾斜した第１部分７と、該第１部分７の先端に隣接して配置され、非回転手段４´が配設される、ほぼ平坦な第２部分４とを有する。第２部分４の非回転手段４´は、歯科インプラント１内に挿入する際、橋脚歯２を放射方向にガイドするように、橋脚歯２の軸に対して放射状に延びる表面を有し、歯科インプラント１に係合する歯科インプラントシステムで使用する。【選択図】図１Ｃ
2012050889.tif 000002
【特許請求の範囲】
【請求項１】
橋脚歯に、歯科インプラントに橋脚歯を係合するためのガイド及びロック手段を設け、該ガイド及びロック手段は、円錐状に傾斜した第１部分と、該第１部分の先端に隣接して配置され、非回転手段が配設される、ほぼ平坦な第２部分とを有し、該第２部分の非回転手段は、歯科インプラント内に挿入する際、橋脚歯を放射方向にガイドするように、橋脚歯の軸に対して放射状に延びる表面を有し、歯科インプラントに係合している歯科インプラントシステムで使用するための橋脚歯。
【請求項２】
さらに、前記ガイド及びロック手段は、歯科インプラント内に挿入する際、橋脚歯を軸方向にガイドするように、第２部分の先端に隣接して配置される略円筒状の第３部分を有する請求項１に記載の橋脚歯。
【請求項３】
前記橋脚歯は、歯科インプラントに橋脚歯を締め付けるための雄ネジを軸方向に保持し、一旦、橋脚歯の第１、及び第２部分が十分に歯科インプラントの対応部分に挿入されれば、歯科インプラントに雄ネジを締め付けることのみが可能となるように、前記橋脚歯の第１及び第２部分の全長、及び／又は、歯科インプラントに締め付ける前に橋脚歯内での雄ネジの位置が選択される請求項１又は２に記載の橋脚歯。
【請求項４】
前記橋脚歯の軸に対する第１部分の傾きは、約６°から約１０°、好ましくは、約７°から約９°、最適には約８°である請求項１から３のいずれか１項に記載の橋脚歯。
【請求項５】
歯科インプラントに、橋脚歯に歯科インプラントを係合するためのガイド及びロック手段を設け、該ガイド及びロック手段は、円錐状に傾斜した第１部分と、該第１部分の先端に隣接して配置され、非回転手段を設けられる、ほぼ平坦な第２部分と、を有し、歯科インプラント内に挿入する際、橋脚歯を放射方向にガイドするように、前記第２部分の非回転手段は、歯科インプラントの軸に対して放射状に延びる表面を有し、橋脚歯に係合する歯科インプラントシステムで使用するための歯科インプラント。
【請求項６】
さらに、前記ガイド及びロック手段は、前記歯科インプラント内に挿入する際、橋脚歯を軸方向にガイドするように、前記第２部分の先端に隣接して配置した略円筒状の第３部分を有する請求項５に記載の歯科インプラント。
【請求項７】
前記歯科インプラントの第１及び第２部分に対してそれぞれ相補的である第１及び第２部分を有する橋脚歯との組み合わせであって、前記橋脚歯は、歯科インプラントに橋脚歯を締め付けるための雄ネジを軸方向に保持し、一旦、橋脚歯の第１、及び第２部分が十分に歯科インプラントの対応部分に挿入されれば、歯科インプラントに雄ネジを締め付けることのみが可能となるように、橋脚歯の第１及び第２部分の軸方向の全長、及び／又は歯科インプラントに締め付ける前に橋脚歯内に雄ネジの位置が選択される請求項５又は６に記載の歯科インプラント。
【請求項８】
前記歯科インプラントの軸に対する第１部分の傾きは、約６°から約１０°、好ましくは、約７°から約９°、最適には約８°である請求項５から７のいずれか１項に記載の歯科インプラント。
【発明の詳細な説明】
【技術分野】
【０００１】
本発明は、一般に、多部品の歯科インプラントシステムのために改良したカップリング、特に、突起、２次部品等を備えた歯科インプラントのために改良したカップリングに関する。
【背景技術】
【０００２】
一般に、多部品の歯科インプラントシステムは、人の歯を再建するために、口腔外科で使用されている。通常、多部品のインプラントシステムは、歯科インプラント、好ましくは、歯科インプラントネジからなり、それは、例えば、骨組織や橋脚歯、あるいは、特に、義歯を支持するために設けた２次部品に用意された収容穴に螺合又は圧入される。
【０００３】
上述の多部品歯科インプラントシステムに頻繁に発生する問題は、骨組織に既に配置された歯科インプラント内に、橋脚歯又は２次部品を正確に配置することである。
【０００４】
正確に配置することの問題は、多数の従来技術に係る特許公報によって取り組まれている。
【０００５】
特に、米国特許第５１９５８５２号公報によれば、円筒状のキャビティが発明されており、歯科インプラントネジの頭頂端には、義歯構造を支持する橋脚歯の回転を阻止するために、多数の条痕を備えている。しかしながら、条痕は歯科インプラントネジの上端面に直角に設けられているので、橋脚歯と歯科インプラントネジの間のカップリングの安定性と無菌性は満足できるものではなかった。
【０００６】
他の解決法は、米国特許第５２８１１４０号公報によって提案されており、そこには、歯科インプラント、第１中間橋脚歯部、及び、第２歯科橋脚部で構成される３つの部分からなる歯科インプラントシステムが開示されている。歯科インプラントは、面取りされた肩部を備えた頭頂部、続いて、歯科インプラント内に向かって先端方向に延びる六角形の開口、さらに、締付ネジを保持するような円筒形状の通路によって先端に延びるように設けられている。第１中間橋脚歯部は、頭頂端で、面取りされた肩部と歯科インプラントの六角形の開口とに対してそれぞれ相補的に形成され、第２橋脚歯部に対向する側面で、多角形の突出部を備える。さらに、第２橋脚歯部は、キャビティを備えた頭頂端に、第１中間橋脚歯部の多角形の突出部に対して相補的に形成され、締付ネジを介して歯科インプラントを結合する際、２つの橋脚歯を回転方向に相対的に位置決めするように設けられている。
【０００７】
それにも拘わらず、米国特許第５２８１１４０号公報の解決法でも、より大きな部品を備えるため、欠点を克服できていなかった。また、面取りされた肩部の相対的に大きな傾斜角度は、歯科インプラントに橋脚歯部を十分に安定して無菌状態で結合するように設けるには適していなかった。
【０００８】
ヨーロッパ特許第４７５２９９号公報には、２部品の橋脚歯に連結可能な歯科インプラントネジが開示されている。歯科インプラントには、肩部から離れた、心出し手段及びポジティブロック手段を設けられている。短い円筒凹部は、心出し手段と肩部との間に延びている。しかしながら、ヨーロッパ特許第４７５２９９号公報でも、歯科インプラントネジに対して橋脚歯部を十分に安定して無菌状態で結合するように設けることには失敗している。
【先行技術文献】
【特許文献】
【０００９】
【特許文献１】米国特許第５１９５８５２号公報
【特許文献２】米国特許第５２８１１４０号公報
【特許文献３】ヨーロッパ特許第４７５２９９号公報
【発明の概要】
【発明が解決しようとする課題】
【００１０】
本発明の意図するところは、多部品の歯科インプラントシステムのために改良された結合、特に、従来の装置の欠点を解消する橋脚歯、第２の部分等を備えた歯科インプラントの改良された結合を提供することであり、歯科インプラント、橋脚歯、及び、第２の部分のそれぞれ間を、安定して無菌状態で結合することが可能とすることである。
【００１１】
この意図する範囲内で、本発明の目的は、多部品の歯科インプラントシステムのために改良された結合を提供することであり、橋脚歯又は第２の部分の位置決めは、殆ど経験のないユーザであっても正確に行うことができる。実際に、歯科インプラントで橋脚歯又は第２の部分の位置決めは、含められる部品と作業環境の小さな規模に注目する、取るに足らない事項ではない。兎に角、上記目的に対して本発明によって提案された解決策は、結合を無菌で安定して行うことに対して不利益とはならないようにすることである。
【００１２】
他の目的は、多部品の歯科インプラントシステムのために改良された結合を提供することであり、部品の数は最小化される。
【００１３】
この意図、これらの目的等は、後述するように、より一層明らかとなり、添付の請求項に記載された多部品の歯科インプラントシステムのための結合によって達成される。
【課題を解決するための手段】
【００１４】
特に、本発明は、ある態様では、歯科インプラントシステムで使用するための橋脚歯を提供し、該橋脚歯には、歯科インプラント内に挿入する際、橋脚歯を軸方向にガイドするように、歯科インプラントに橋脚歯を係合するためのガイド及びロック手段が設けられ、該ガイド及びロック手段は、円錐状に傾斜した第１部分と、該第１部分の先端に隣接して配置され、非回転手段を備えた、ほぼ平坦な第２部分と、該第２部分の先端に隣接して配置された略円筒状の第３部分と、を有する。
【００１５】
類似した方法、すなわち、上述と相補的な方法で、本発明は、歯科インプラントシステムに使用するための歯科インプラントを提供し、該歯科インプラントには、歯科インプラント内に挿入する際、橋脚歯を軸方向にガイドするように、橋脚歯に歯科インプラントを係合するためのガイド及びロック手段が設けられ、該ガイド及びロック手段は、円錐状に傾斜した第１部分と、該第１部分の先端に隣接して配置され、非回転手段を備えた、ほぼ平坦な第２部分と、該第２部分の先端に隣接して配置される略円筒状の第３部分と、を有する。
【００１６】
本発明の他の態様では、歯科インプラントシステムでの使用のための橋脚歯が開示されており、該橋脚歯は、円錐状に傾斜した第１部分と、該第１部分の先端に隣接して配置され、非回転手段を備えた、ほぼ平坦は第２部分と、を有し、該第２部分の非回転手段は、歯科インプラント内に挿入する際、橋脚歯を放射方向にガイドするように、橋脚歯の軸に対して放射状に延びる表面を有し、歯科インプラントに係合する。
【００１７】
同様に、本発明は、歯科インプラントシステムで使用するための歯科インプラントを教授し、該歯科インプラントは、橋脚歯に歯科インプラントを係合するためのガイド及びロック手段を設けられ、該ガイド及びロック手段は、円錐状に傾斜した第１部分と、該第１部分の先端に隣接して配置され、非回転手段を備えた、ほぼ平坦な第２部分と、を有し、該第２部分の非回転手段は、歯科インプラント内に挿入する際、橋脚歯を放射方向にガイドするように、歯科インプラントの軸に対して放射状に延びる表面を有し、橋脚歯に係合する。
【図面の簡単な説明】
【００１８】
【図１Ａ】本発明の第１実施形態に係る多部品の歯科インプラントシステムのためのカップリングを示す斜視図である。
【図１Ｂ】本発明の第１実施形態に係るカップリングを備えた歯科インプラントの平面図である。
【図１Ｃ】本発明の第１実施形態に係る、歯科インプラントのガイド及びロック手段と、橋脚歯又は第２の部分の対応するガイド及びロック手段の側面図である。
【図１Ｄ】本発明の第１実施形態に係る、橋脚歯を組み込まれ、カップリングを含む歯科インプラントの図である。
【図１Ｅ】本発明の第１実施形態に係るカップリングを組み込んだ歯科インプラントシステムの全体図である。
【図２Ａ】本発明の第２実施形態に係る多部品の歯科インプラントシステムのためのカップリングを示す斜視図である。
【図２Ｂ】本発明の第２実施形態に係る、カップリングを備えた歯科インプラントの平面図である。
【図２Ｃ】本発明の第２実施形態に係る、歯科インプラントのガイド及びロック手段と、これに対応する橋脚歯又は第２の部分のガイド及びロック手段の側面図である。
【図３Ａ】本発明の第３実施形態に係る多部品の歯科インプラントシステムのためのカップリングの斜視図である。
【図３Ｂ】本発明の第３実施形態に係る、カップリングを備えた歯科インプラントの平面図である。
【図３Ｃ】本発明の第３実施形態に係る、歯科インプラントのガイド及びロック手段と、これに対応する橋脚歯又は第２の部分のガイド及びロック手段の側面図である。
【図４Ａ】本発明の第４実施形態に係る多部品の歯科インプラントシステムのためのカップリングの斜視図である。
【図４Ｂ】本発明の第４実施形態に係る、カップリングを備えた歯科インプラントの平面図である。
【図４Ｃ】本発明の第４実施形態に係る、歯科インプラントのガイド及びロック手段と、これに対応する橋脚歯又は第２の部分のガイド及びロック手段の側面図である。
【図５Ａ】本発明の第５実施形態に係る多部品の歯科インプラントシステムの斜視図である。
【図５Ｂ】本発明の第５実施形態に係る、カップリングを備えた歯科インプラントの平面図である。
【図５Ｃ】本発明の第５実施形態に係る、歯科インプラントのガイド及びロック手段と、これに対応する橋脚歯又は第２の部分のガイド及びロック手段の側面図である。
【図６Ａ】本発明の第６実施形態に係る多部品の歯科インプラントシステムのためのカップリングの斜視図である。
【図６Ｂ】本発明の第６実施形態に係る、カップリングを備えた歯科インプラントの平面図である。
【図６Ｃ】本発明の第６実施形態に係る、歯科インプラントのガイド及びロック手段と、これに対応する橋脚歯又は第２の部分のガイド及びロック手段の側面図である。
【発明を実施するための形態】
【００１９】
添付図面１Ａ〜１Ｅにおいて、歯科インプラント１、好ましくは、骨組織、橋脚歯、あるいは、２次部品２内に挿入するための雄ネジを有する歯科インプラントと、歯科インプラントシステムに一体形成する締付ネジ３とが示されている。締付ネジ３は、図１Ｄに最もよく示されるように、橋脚歯で軸方向に保持されるのが好ましい。
【００２０】
本発明の第１実施形態では、橋脚歯２は、第１円錐部７として組み込まれたガイド及びロック手段、続いて、先端位置で、突出部４´を備えた第２非傾斜部４によって橋脚歯２の軸方向に延び、そこからさらに離れた先端位置で、第３略円筒部２２によって延びるように設けられている。
【００２１】
図１Ａ〜１Ｅに示す突出部の数は８に等しい。これにより、第２非傾斜部４の断面は略八角形となる。一方、歯科インプラント１と橋脚歯２との間の相対位置を調整する必要があるため、突出部の数を変更してもよいことを当業者あれば理解するであろう。突出部４´の形状を変更してもよく、各突出部の最終断面は八角形である必要もない。
【００２２】
本発明の第１実施形態において、第２部分４の軸方向の長さが第３部分２２の軸方向の長さの約２倍であれば、特に有利である。さらに、第１部分７の軸方向の長さが、第２部分４及び第３部分２２の軸方向の全長とほぼ等しければ特に有利である。したがって、ユーザは、橋脚歯を歯科インプラントに組み付ける際、より長い挿入経路を提供される結果、より好ましい手応えを得る。また、歯科インプラントへのネジ３の固定は、後述するように、第３部分２２と共に第２部分４が歯科インプラントの補助部に十分に挿入されることによってのみ可能である。このようにして、ネジのくさび止めを回避することができる。
【００２３】
本発明において、橋脚歯の軸に対する第１部分７の傾きは、歯科インプラントと橋脚歯の間の結合に必要なシール性と安定性が得られるように、約６°から約１０°、好ましくは、約７°から約９°の範囲となっている。また、第１部分７の軸方向の伸長量は、説明したように、第２部分４及び第３部分２２の軸方向の全伸長量とほぼ等しいのが好ましい。さらにまた、後者は本発明の歯科インプラントシステムのシール性及び安定性の特徴を改良している。
【００２４】
歯科インプラント１には、橋脚歯のガイド及びロック手段、特に、橋脚歯２の第１円錐部７に嵌合する第１円錐部Ｔ、橋脚歯の第２略非円錐部４及び突出部４´を保持するための溝４´´´を備えた第２非円錐部４´´、及び、橋脚歯の第２部分２２を保持するための第３略円筒部２２´と相補的であるガイド及びロック手段が設けられている。橋脚歯の第１部分７、第２部分４´´、及び、第３部分２２´は、前述のように、形状、伸長量、傾斜角度等について、第１部分７、第２部分４、及び、第３部分２２と相補的であり、詳細な説明は、繰り返しを避けるために省略する。それにも拘わらず、後述する幾つかの実施形態から明らかになるように、当業者は、突出部の数が溝の数と等しくなってはならないことを理解するであろう。
【００２５】
本発明において、歯科インプラント１の肩部８は溝を移動自在であり、歯科インプラント１及び橋脚歯２の間を回転しないようにロックするために設けた溝／突出部は肩部８から離されている。したがって、歯科インプラントと橋脚歯の間の内面での歯科インプラントシステムのシール特性は損なわれることがなく、安定性は維持される。また、第１傾斜部７及びＴのため、歯科インプラント内に橋脚歯２を挿入する際、突出部４´の妨害が回避される。
【００２６】
また、傾きを合致させることにより、効率的な抗菌性のバリアが、歯科インプラント１と橋脚歯２の間に僅かな隙間も現れないように形成され、後者のパーツの正確な嵌合により、それらの間の相互の微小なズレが防止される。さらに、締付ネジ３を締め付けることにより、回転しないように二重にロックされ、特に、突出部／溝の挿入によるポジティブロックと、２つの傾斜部７及び７´の間の相互作用による摩擦ロックとが得られる。
【００２７】
さらに、橋脚歯２及び歯科インプラント１の第３部分２２及び２２´は、歯科インプラント１への橋脚歯２の挿入を補助するガイド機能を備える。
【００２８】
なお、ガイド機能は、後述するような異なる手法で達成するようにしてもよいが、上述の列記した利点は、ここで記載した実施形態の全てに当てはまる。
【００２９】
本発明の第２実施形態は、図２Ａ〜２Ｃに記載されており、本発明の第１実施形態と同様な特徴については、同一の参照符号を付して一致する内容の説明を省略する。
【００３０】
第２実施形態では、橋脚歯２の第２部分及び第３部分が、第１部分７の先端側に隣接する突出部２４´に交換されている。また、よりよい理解のために、隣接部が図２Ａの反転図に示されている。
【００３１】
第２実施形態の歯科インプラント１では、第２部分及び第３部分が、次に、歯科インプラント１のガイド及びロック手段に、ロゼット形成した外観を提供する溝２´´´を備えた環状プラットフォーム５に交換されている。４つの溝２４´´´が図２Ａ及び２Ｂに示されているが、当業者であれば、例えば、歯科インプラントと橋脚歯の間の相対位置の数を調整するために、これらの部材を必要に応じて変更できることを容易に理解するであろう。
【００３２】
本発明の第２実施形態の改良された処理は、中間位置の歯科インプラント１の環状プラットフォーム５に突出部２４´を備えた橋脚歯２を配置することによって達成される。この位置で、締付ネジ３を締め付けることはできない。したがって、橋脚歯には目詰まりが改良されて安全性がもたらされる。突出部２４´が溝２４´´´の１つに位置決めされ、十分に貫通するまで回転されれば、締付ネジ３の締付のみが可能となる。この方法では、本発明の第２実施形態により、橋脚歯２を歯科インプラント１内に挿入することを容易にするガイド機能が有効に実行される。
【００３３】
本発明の第３実施形態は、図３Ａ〜３Ｃに記載されており、本発明の第１実施形態と同様な特徴については、同一の参照符号を付して一致する説明を省略する。
【００３４】
本発明の第３実施形態の橋脚歯では、第２部分３４が、断面略六角形状に形成され、好ましくは円弧状を有する、挿入された突出面によって連結される４つの垂直面を備えている。実際に、誇張して表現されてはいるが、断面は、外縁がほぼ正方形となっている。橋脚歯２の略円筒の第３部分２２は、第１実施形態の橋脚歯の第３部分２２と同様である。
【００３５】
本発明の第３実施形態では、歯科インプラント１の第２部分は、歯科インプラント１のガイド及びロック手段に周縁が上述の正方形となるように４つの溝３４´´´を備えたプラットフォーム３５によってさらにもう一度交換される。換言すれば、プラットフォーム３５及び歯科インプラントの溝３４´´´の輪郭又は断面は、橋脚歯２の第２部分３４の輪郭又は断面と相補的である。歯科インプラントの第３部分２２´は、橋脚歯２の第３部分２２と相補的である。
【００３６】
本発明の第３実施形態の改良された処理は、橋脚歯２の第２部分３４の垂直面が、歯科インプラントのプラットフォーム３５に載置されるように、中間位置で、歯科インプラント１のプラットフォーム３５上に、（周縁に正方形の輪郭を形成する）第２部分３４を備えた橋脚歯２に交換することによって達成される。この位置では、締付ネジ３を締め付けることはできない。したがって、橋脚歯に目詰まりを改良して安全性がもたらされる。橋脚歯２の第２部分３４が溝部３４´´´に位置するように回転すれば、締付ネジの締付のみが可能となる。この方法では、本発明の第３実施形態により、歯科インプラント１への橋脚歯２の挿入を容易にするガイド機能が有効に実行される。さらに、ガイド機能は、橋脚歯と歯科インプラントの各第３部分によって高められる。
【００３７】
本発明の第４実施形態は、図４Ａ〜４Ｃに記載されており、本発明の第３実施形態と同様な特徴については、同一の参照符号を付して一致する説明を省略する。
【００３８】
本発明の第４実施形態では、橋脚歯２には（略八角形に形成される）８つの突出部４４´が設けられており、歯科インプラント１には（同様に略八角形に形成される）８つの係合溝４４´´´が設けられ、突出部４４´に係合されている。突出部及び係合溝の数は必要に応じて変更できることが再度強調されている。
【００３９】
第４実施形態では、溝４４´´´の周囲に、力を変換する要素として機能するＳＣＳリング１０が配設されるという利点がある。したがって、歯科インプラント１の溝４４´´´は、（回転方向の）位置決め又は位置変更する要素としてのみ機能し、力の伝達のためにストレスを受けやすいことはない。
【００４０】
本発明の第５実施形態は、図５Ａ〜５Ｃに記載されており、本発明の第１実施形態と同様な特徴については、同一の参照符号を付して一致する説明を省略する。
【００４１】
本発明の第５実施形態では、橋脚歯２には（略三角形状に形成される）３つの突出部５４´が設けられており、歯科インプラント１には（同様に略三角形状に形成される）係合溝５４´´´が設けられ、前記突出部５４´を保持するように係合している。そのような略三角形状の外形により、よりよい力の伝達が可能となる。
【００４２】
しかも、第２実施形態と同様な方法では、溝５４´´´を囲む環状プラットフォーム５５が設けられている。したがって、第２実施形態と同様な方法では、橋脚歯２が歯科インプラント１に十分に貫通し、締付ネジ３によって強固に固定され、突出部５４´が溝５４´´´に位置決めされるように回転されるまで、橋脚歯２が環状プラットフォーム５５の中間位置に保持されるので、橋脚歯２は目詰まりを改良されて安全性がもたらされる。
【００４３】
第５実施形態に特有の特徴は、橋脚歯２のよりよい支持とガイドのため、歯科インプラント１に第３部分１２を係合すると共に、延長された円筒状の第２部分１１を設けた第２非傾斜部分に隣接する橋脚歯２の先端に設けた、参照符号１１によって示される、延長された円筒状の第２部分である。橋脚歯の延長された第３部分の軸方向への伸長量は、橋脚歯２の第２部分の軸方向への伸長量に対する割合が約１．４〜１．７、特に、１．６であるのが好ましい。特に、図５を参照すると理解できるように、橋脚歯の第１部分の軸方向への伸長量は、第２部分の軸方向の伸長量の約半分である。
【００４４】
本発明の第６実施形態は、図６Ａ〜６Ｃに記載されており、本発明の第１実施形態と同様な特徴については同一の参照符号を付して一致する説明を省略する。
【００４５】
本発明の第６実施形態では、橋脚歯２には単一の突出部６４´が設けられ、歯科インプラント１には多数の（例えば、４つの）係合溝６４´´が設けられ、突出部６４´を保持可能となっている。
【００４６】
さらに、第２又は第４実施形態と同様に、溝６４´´´の間に挿入された環状プラットフォーム６５が設けられている。したがって、橋脚歯２が十分に歯科インプラント１を貫通するように、橋脚歯２が溝６４´´´の１つに位置決めされるように回転されるまで、橋脚歯２には改良された目詰まりに対する安全性がもたらされる。また、第６実施形態でのガイド及び支持機能は、橋脚歯及び歯科インプラントにそれぞれ延設された第３部位を露出させることによって高められ、その部位は第５実施形態と同様に軸方向に延びるように工夫されている。
【００４７】
本発明の範囲を逸脱することなく、当業者にとって種々の改良が可能であることは明白である。したがって、特許請求の範囲は、図面あるいは詳細な説明の好ましい実施形態によって制限されるものではないが、本発明に属する特許可能な新規な特徴の全てが包含され、当業者によって同等のものとして扱われる全ての特徴が含められる。この点で、強調されるのは、本発明の歯科インプラント及び橋脚歯は、セラミックス、金属（特に、チタン）、及び、これらの組み合わせによって製造可能であるところである。
【００４８】
いずれかの請求項に記載された技術的特徴は、参照符号によって理解され、これらの参照符号は、請求項の理解度を高めることのみを目的として含められ、そのような参照符号は、例示された各構成要素の範囲を全く限定するものではない。
【符号の説明】
【００４９】
１…歯科インプラント
２…橋脚歯
３…締付ネジ
４…第２非傾斜部（第２部分）
４´…突出部
４´´…第２非円錐部
４´´´…溝
７、７´…第１円錐部（第１部分）
２２、２２´…第３略円筒部（第３部分）
２４´…突出部
２４´´´…溝
３４…第２部分
３４´´´…溝
３５…プラットフォーム
４４´…突出部
４４´´…溝
４４´´´…溝
５４´…突出部
５４´´´…溝
６４´…突出部
６４´´…係合溝
６４´´´…係合溝
【図１Ａ】
2012050889.tif 000003
【図１Ｂ】
2012050889.tif 000004
【図１Ｃ】
2012050889.tif 000005
【図１Ｄ】
2012050889.tif 000006
【図１Ｅ】
2012050889.tif 000007
【図２Ａ】
2012050889.tif 000008
【図２Ｂ】
2012050889.tif 000009
【図２Ｃ】
2012050889.tif 000010
【図３Ａ】
2012050889.tif 000011
【図３Ｂ】
2012050889.tif 000012
【図３Ｃ】
2012050889.tif 000013
【図４Ａ】
2012050889.tif 000014
【図４Ｂ】
2012050889.tif 000015
【図４Ｃ】
2012050889.tif 000016
【図５Ａ】
2012050889.tif 000017
【図５Ｂ】
2012050889.tif 000018
【図５Ｃ】
2012050889.tif 000019
【図６Ａ】
2012050889.tif 000020
【図６Ｂ】
2012050889.tif 000021
【図６Ｃ】
2012050889.tif 000022